(57)【要約】      （修正有）【課題】ＢＯＧ圧縮機を用いないで、低コストでタンクローリーやＬＮＧタンクから発生するＢＯＧを都市ガスの原料として処理する方法及び処理設備を提供する。【解決手段】ＬＮＧサテライト基地等におけるタンクローリー１の残ガスやＬＮＧタンク５から発生するＢＯＧを都市ガス原料として処理する方法であって、ＬＮＧタンクに貯蔵したＬＮＧの都市ガス製造工程と、ＢＯＧを都市ガス原料として処理する工程に切替え可能とし、ＢＯＧ処理工程において、ガス化したＢＯＧを昇圧することなくＬＮＧの都市ガス製造を停止したＬＮＧの気化ガスライン９に注入し、ＢＯＧを原料とした都市ガスを製造し、整圧器１１ａ，１１ｂにて整圧し市中導管１２に供給する。【選択図】            図１
2004211747.tif 000002
【特許請求の範囲】
【請求項１】
ボイルオフガス（以下、ＢＯＧという）を都市ガス原料として処理する方法であって、液化天然ガス（以下、ＬＮＧという）タンクに貯蔵したＬＮＧの都市ガス製造工程と、ＢＯＧを都市ガス原料として処理する工程に切替え可能とし、該ＢＯＧ処理工程において、ガス化したＢＯＧを昇圧することなくＬＮＧの都市ガス製造を停止したＬＮＧの気化ガスラインに注入し、ＢＯＧを原料とした都市ガスを製造し、整圧器にて整圧し市中導管圧に供給することを特徴とする圧縮機を使用しないＢＯＧ処理方法。
【請求項２】
ＢＯＧが、ＬＮＧサテライト基地におけるタンクローリーの残ガスとＬＮＧタンクから発生するＢＯＧであることを特徴とする請求項１に記載の圧縮機を使用しないＢＯＧ処理方法。
【請求項３】
ＬＮＧタンクの出口側とＬＮＧをガス化する気化器間にＬＮＧ出口弁を設け、気化ガスラインを通じて送られたガスを熱量調整して都市ガスを製造する熱量調整ミキサーと製造された都市ガスを貯蔵するガスホルダー間にガスホルダー入口弁を設け、該ガスホルダーの出口側に一次整圧器を設けその下流に市中導管圧に設定された二次整圧器を設け、前記一次整圧器は二次整圧器の設定圧より高く設定されており、前記熱量調整ミキサーとガスホルダー入口弁の間と、前記一次整圧器と二次整圧器の間を結ぶ遮断弁を備えたバイパスが設けられ、ヒーターを備えＢＯＧラインが圧縮機を経由しないで前記気化ガスラインに接続され、ＬＮＧの都市ガス製造工程と、ＢＯＧを都市ガス原料として処理する工程に切替え可能とされていることを特徴とする圧縮機を使用しないＢＯＧ処理設備。
【請求項４】
ＢＯＧラインが、ＬＮＧサテライト基地におけるローリーの残ガス受入れ口と、ＬＮＧタンクのＢＯＧ出口に結ばれていることを特徴とする請求項３記載の圧縮機を使用しないＢＯＧ処理設備。
【発明の詳細な説明】
【０００１】
【発明の属する技術分野】
本発明は、主として液化天然ガス（ＬＮＧ）サテライト基地においてタンクローリーやＬＮＧタンクから発生するボイルオフガス（ＢＯＧ）を都市ガスの原料として処理する方法および処理設備に関するものである。
【０００２】
【従来技術】
タンカーで受け入れられたＬＮＧは、受入れ基地の貯蔵タンクに貯蔵された後、都市ガスの消費地に近い地域に設置されたサテライト基地までＬＮＧ（約−１６０℃の液化天然ガス）の状態でタンクローリー（以下、ローリーともいう）によって輸送され、液状のままタンクに貯蔵され、需要に応じて気化、熱量調整等の処理を行って都市ガスを製造した後、地域の市中導管を経て需要家に送られる。
【０００３】
ＬＮＧサテライト基地においては、ローリーからＬＮＧタンクに受入れ作業終了後に、法規上定められた圧力（４００ｋＰａ）以下までローリー内圧を減圧する必要があるため、ローリー内に残存するガスを低温ＢＯＧとしてＬＮＧサテライト基地へ送出する必要がある。また、ＬＮＧが貯蔵されたタンク内は外部からの自然入熱や運転圧力の変更等によりＬＮＧの一部が蒸発して低温ＢＯＧが発生し、そのままにしておくとＬＮＧタンクの内圧が設計圧力以上に上昇するため、タンク外に排出して処理する必要がある。
【０００４】
従来から、ＬＮＧタンクのＢＯＧの処理方法としては各種の方法が採用・提案されている。例えば、ＢＯＧを圧縮機で昇圧してタンク内のＬＮＧを気化・熱量調整した都市ガスに合流して処理したり、昇圧後再液化してＬＮＧタンク内に戻す等の処理方法が一般的である。
【０００５】
図２は、前者の従来技術をサテライト基地のＢＯＧ処理方法に適用した系統図である。ローリーおよびＬＮＧタンクから発生したＢＯＧはライン１０２を経てヒーター１０３で加温され、有水ホルダー１０４等に低圧で貯蔵される。一方、ＬＮＧタンク５（５００ｋＰａ）のＬＮＧは気化器１０６、気化ガスライン１０７（４５０ｋＰａ）、ＬＰＧ熱量調整ミキサー１０８や図示しない付臭装置からなる都市ガス製造ライン１０９によって都市ガスとされてガスホルダー１１０（４００ｋＰａ）に貯えられ、整圧器１１１（９３ｋＰａ）で整圧されて需要に応じて都市ガス導管１１２に供給される。
【０００６】
この例においてＢＯＧは、前記有水ホルダー１０４に貯蔵されているＢＯＧが圧縮機１１３（５００ｋＰａ）で昇圧されて気化ガスライン１１４に注入されて前記都市ガス製造ライン１０９に合流して処理される。
【０００７】
なお、前記ＢＯＧの圧縮工程において、昇圧されたＢＯＧは高温となるため図示しないクーラーで冷却する必要がある。
【０００８】
ＢＯＧを圧縮機により昇圧して天然ガスラインに混合して処理する先行技術としては、他に特許文献１に開示されたものがある。このＢＯＧ処理方法は、図３に示すように、タンク２０１内のＬＮＧ２０３を気化器２０７で昇温し、かつ調整弁２０９で調圧して天然ガスを得るＬＮＧ２０６ラインと、ＢＯＧ２０２を複数の圧縮機８１，８２，８３によって多段圧縮して昇圧ＢＯＧを得るＢＯＧ処理ラインとを備え、これらのラインから得られるガスを混合して天然ガスを製造する設備である。図中、符号２０８は、ボイルオフガス処理設備であり、符号２０９は、圧力調整弁であり、また、符号８７は、流量制御弁である。多段ＢＯＧ圧縮機の中間および終端にはクーラー８４，８５が設けられている。なお、天然ガスを都市ガスとして使用する場合は、図示しない熱量調整装置や付臭装置が設けられる。
【０００９】
【特許文献１】
特開平１０−２２７３９８号公報
【００１０】
【発明が解決しようとする課題】
前記図２および図３に示す従来技術によるＢＯＧ処理方法は、いずれもＢＯＧを昇圧するための圧縮機、クーラーおよびその他の附帯設備を設けるため、高額な設備投資と圧縮機の運転コストが必要となる課題がある。特に、図３の従来技術では、圧縮機を多段としているためさらに設備投資、運転コストが大きくなる。また、サテライト基地は敷地面積が広くないことが多く、設備設置面積に限りがあるため、圧縮機や附帯設備の設置スペースを確保しにくい課題もある。
【００１１】
本発明は、ＢＯＧ圧縮機を用いないで、低コストでタンクローリーやＬＮＧタンクから発生するＢＯＧを都市ガスの原料として処理する方法及び処理設備を提供するものである。
【００１２】
【課題を解決するための手段】
本発明の構成は、以下を要旨とするものである。
【００１３】
ＬＮＧサテライト基地等におけるタンクローリーの残ガスやＬＮＧタンクから発生するＢＯＧを都市ガス原料として処理する方法であって、ＬＮＧタンクに貯蔵したＬＮＧの都市ガス製造工程と、ＢＯＧを都市ガス原料として処理する工程に切替え可能とし、ＢＯＧ処理工程において、ガス化したＢＯＧを昇圧することなくＬＮＧの都市ガス製造を停止したＬＮＧの気化ガスラインに注入し、ＢＯＧを原料とした都市ガスを製造し、整圧器にて整圧し市中導管圧に供給することを特徴とする圧縮機を使用しないＢＯＧ処理方法である。
【００１４】
また、ＬＮＧタンクの出口側とＬＮＧをガス化する気化器間にＬＮＧ出口弁を設け、気化ガスラインを通じて送られたガスを熱量調整して都市ガスを製造する熱量調整ミキサーと製造された都市ガスを貯蔵するガスホルダー間にガスホルダー入口弁を設け、該ガスホルダーの出口側に一次整圧器を設けその下流に市中導管圧に設定された二次整圧器を設け、前記一次整圧器は二次整圧器の設定圧より高く設定されており、前記熱量調整ミキサーとガスホルダー入口弁の間と、前記一次整圧器と二次整圧器の間を結ぶ遮断弁を備えたバイパスラインが設けられ、ヒーターを備えたＢＯＧラインが圧縮機を経由しないでＬＮＧサテライト基地におけるローリーの残ガス受入れ口や、ＬＮＧタンクのＢＯＧ出口と、前記気化ガスラインに接続され、ＬＮＧの都市ガス製造工程と、ＢＯＧを都市ガス原料として処理する工程に切替え可能とされていることを特徴とする圧縮機を使用しないＢＯＧ処理設備である。
【００１５】
【発明の実施の形態】
すなわち、本発明のＢＯＧ処理方法では、ＢＯＧ圧縮機を用いないで直接処理するＢＯＧをそれよりも高い圧力であるＬＮＧタンクの気化ガスラインに送出するため、タンクから供給されるＬＮＧの都市ガス製造とＢＯＧ処理の工程を切替可能とした。このため、ガスホルダーを迂回するバイパスラインを設け、このバイパスラインを処理ＢＯＧ圧力より低くした一次整圧器と市中導管圧に設定した二次整圧器間に接続した系統構成として、ＢＯＧ処理時には低い圧力でもＢＯＧを気化ガスラインに注入可能として圧縮機による昇圧を不要とした。
【００１６】
本発明のＢＯＧの処理工程では、ＬＮＧ気化器入口のＬＮＧ気化器入口弁Ａとガスホルダーの入口弁Ｂを閉とし、ＬＮＧの都市ガス製造を中断して、バイパス弁を開として気化ガスラインの流路を切替える。この結果、気化ガスライン以降の圧力は一次整圧器の設定圧力にほぼ等しい圧力まで低下するため、これより高いＢＯＧを気化ガスラインに送出可能となる。気化ガスラインに送出されたＢＯＧはＬＮＧの都市ガス製造用のＬＰＧ熱量調整ミキサーを使用して熱量調整された後、バイパスラインを通じて二次整圧器で整圧されて市中導管に供給される。
【００１７】
また、都市ガスの需要に対してＢＯＧの処理量で不足する分は一次整圧器の設定圧力によってガスホルダーに蓄えられたガスが補充されＢＯＧを処理した都市ガスと合流して市中導管に供給される。
【００１８】
【実施例】
つぎに、図面を参照しながら、本発明の実施例を説明する。
【００１９】
図１は、本発明に係るサテライト基地においてタンクローリーおよびＬＮＧタンクで発生するＢＯＧを処理して都市ガスとする設備系統図の例である。
【００２０】
サテライト基地は、受入基地からＬＮＧを輸送するローリー１と、ＬＮＧタンク５と、ＬＮＧを気化して都市ガスを製造するＬＮＧ気化器６および熱量調整ミキサー８からなる都市ガス製造ラインと、製造された都市ガスを蓄えるガスホルダー１０と、市中導管圧に整圧する整圧器（一次整圧器１１ａおよび二次整圧器１１ｂ）と、ローリー１およびＬＮＧタンク５のＢＯＧを処理する設備等で構成される。
【００２１】
各設備・装置類の圧力は図１に示すように、ローリー圧は公道を走行時は４００ｋＰａ以下とすることが義務付けられているため走行中の自然入熱による昇圧を考慮して３００ｋＰａ程度とされている。また、ＬＮＧタンク５は５００ｋＰａとし、ガスホルダー１０の圧力４００ｋＰａより高くしてある。
【００２２】
都市ガス製造時は、ＬＮＧタンク５からガスホルダー１０間のＬＮＧ気化器６、気化ガスライン９、ＬＰＧ熱量調整ミキサー８等の都市ガス製造ラインは５００〜４００ｋＰａとなる。ガスホルダーの下流側に設置されている整圧器（二次整圧器１１ｂ）は９３ｋＰａに設定されている。
【００２３】
従って、ローリー１および、ＬＮＧタンク５から発生するＢＯＧをヒーター３で加温してＢＯＧライン２からＢＯＧを気化ガスライン９に注入して都市ガス原料として処理しようとした場合、都市ガスを製造中の状態ではＢＯＧライン２の圧力が気化ガスライン９の圧力より低いため注入できない。このため従来は、ＢＯＧライン２に圧縮機を設けて昇圧して注入していた。
【００２４】
本発明では、この圧縮機を設置しないでＢＯＧを直接気化ガスライン９に注入して都市ガス原料として処理することを可能とした。
【００２５】
このため本発明においては、図１に示すように、ヒーター３を経由してガス化したローリー１およびＬＮＧタンク５のＢＯＧライン２を気化器６と熱量調整ミキサー８の間の気化ガスライン９に接続し、ＬＮＧタンク５の出口と気化器６間にＬＮＧ気化器入口弁Ａを設け、熱量調整ミキサー８とガスホルダー１０の間にガスホルダー入口弁Ｂを設け、ガスホルダーの出口側（下流）に２段の整圧器（一次整圧器１１ａ、二次整圧器１１ｂ）を設けた。２段整圧器のうち市中導管１２側の二次整圧器１１ｂは、導管に供給する９３ｋＰａに設定し、ガスホルダー１０側の一次整圧器１１ａはこれより高く、また処理するＢＯＧ圧力より低い１５０ｋＰａに設定している。
【００２６】
また、熱量調整ミキサー８とガスホルダー１０入口弁Ｂの間から一次整圧器１１ａと二次整圧器１１ｂの間に遮断弁Ｃ付きのバイパスライン１５を設け、ガスホルダー１０を迂回できるようにしている。
【００２７】
次に、上記の設備系統構成を使用してタンクローリー１、ＬＮＧタンク５で発生するＢＯＧを都市ガス原料とする本発明のＢＯＧ処理方法を説明する。
本発明では、ＬＮＧの都市ガス製造工程とＢＯＧ処理工程を切替えて行う。
【００２８】
（１）ＬＮＧの都市ガス製造工程
通常のＬＮＧの都市ガス製造工程では、ローリー受入配管の流路を弁ＤによりＬＮＧタンク５側にし、加圧蒸発器で発生させたガス（約６００ｋＰａ）によってローリー内のＬＮＧをＬＮＧタンク５に受入ながら、またはローリー１が無い状態で、ＬＮＧ気化器６の入口弁Ａを開、ガスホルダー入口弁Ｂを開、バイパス弁Ｃを閉としてＬＮＧタンク５（約５００ｋＰａ）のＬＮＧを送出して気化器６でガス化し、気化ガスライン９を経由してＬＰＧ熱量調整ミキサー８に送られ、熱量調整された都市ガスをガスホルダー１０に約４００ｋＰａの圧力で蓄える。ガスホルダー１０に蓄えられた都市ガスは一次整圧器１１ａで約１５０ｋＰａに減圧された後、二次整圧器１１ｂで中圧９３ｋＰａに整圧されて市中導管１２に供給されて需要先に送られる。なお、気化ガスライン９に接続されたＢＯＧライン２とは逆止弁１６で遮断されている。
【００２９】
（２）ＢＯＧ処理工程
図１の太線は、ローリー１残ガスＢＯＧの処理工程におけるガス流の経路を示す。
【００３０】
ＢＯＧ処理時にはＬＮＧタンク５の出口弁Ａとガスホルダー入口弁Ｂを閉とし、バイパスライン９の遮断弁Ｃを開として、ＬＮＧタンク５からのＬＮＧ送出を止めガス製造を停止した状態とする。そして、ローリー１の残ガス処理時は、ローリー受入配管の流路を弁ＥによりＢＯＧライン２側に切替えて、ＬＮＧ受入れ作業が終了したローリー１の残ガス（当初圧力約６００ｋＰａが約３００ｋＰａまで低下）を、また、ＬＮＧタンク５のＢＯＧ処理時はＬＮＧタンク５上部のガスライン１７の弁を開とし、ＬＮＧタンク５で発生したＢＯＧを、それぞれヒーター３で加温した後、ＢＯＧライン２から逆止弁１６を経てＬＮＧの気化ガスライン９に注入する。この位置でのＢＯＧ圧は途中の圧損により約２５０ｋＰａ程度となっている。
【００３１】
気化ガスライン９は約４００ｋＰａのガスホルダー１０をバイパスし、ガスホルダー出口に設置してある設定圧力約１５０ｋＰａの一次整圧器１１ａと約９３ｋＰａの二次整圧器１１ｂ間に合流するため、気化ガスライン９の圧力も同様の約１５０ｋＰａとなる。
【００３２】
したがって、ＢＯＧライン２の圧力が気化ガスライン９より高いため、ＢＯＧを気化ガスライン９に注入可能であり、気化ガスライン９に注入されたＢＯＧは、ＬＮＧの都市ガス製造工程で使用するものと同じＬＰＧ熱量調整ミキサー８に送られ、熱量調整されて都市ガスが製造され、バイパスライン１５を経由して一次整圧器１１ａと二次整圧器１１ｂの間に送出される。この時のＢＯＧを原料とした都市ガスの圧力は途中の圧損により約２００ｋＰａ程度となっている。
【００３３】
このときＢＯＧを原料とする都市ガスの圧力は一次整圧器１１ａの設定値約１５０ｋＰａよりも高いため、ガスホルダー１０の貯蔵ガスよりも優先して二次整圧器１１ｂを経由して市中導管１２へ送出される。また、都市ガス製造量、すなわち、ＢＯＧ処理量よりも都市ガスの需要量が多いときは一次整圧器１１ａと二次整圧器１１ｂ間の圧力が低下し、その値が一次整圧器圧１５０ｋＰａまで低下すると、ガスホルダー１０の貯蔵ガスが図１の点線で示すように一次整圧器１１ａを経由してＢＯＧを原料とした都市ガスと合流し二次整圧器１１ｂで整圧されて市中導管へ供給される。
【００３４】
すなわち、本発明のＢＯＧ処理工程では、ローリー１およびＬＮＧタンク５から発生する約３００ｋＰａのＢＯＧが、これより低い約１５０ｋＰａに設定した一次整圧器１１ａと約９３ｋＰａ圧の二次整圧器１１ｂ間の圧力にバランスを保とうとする作用により、圧縮機による昇圧操作を不要としてガス流を生じせしめる。このガス流を利用してＬＮＧの都市ガス製造工程の熱量調整設備等を用いてＢＯＧを原料とした都市ガスを製造するものである。
【００３５】
以上、本発明をサテライト基地のＢＯＧ処理設備・方法について説明したが、各設備・装置の圧力は１例であって適宜変更することができる。
【００３６】
【発明の効果】
本発明によれば、従来のＢＯＧ処理において必要とされていたＢＯＧ圧縮機および冷却設備や専用建家等の附帯設備が不要となるため、設備投資額を大幅に低減できる。しかも、ＢＯＧ処理時の圧縮機の運転に要する電力費等のランニングコストも低減できる。
【００３７】
また、上記設備の設置スペースが不要となるため、市街地に近い地域に設置されるサテライト基地においては限られた敷地面積となるためスペース面で有利となる。
【００３８】
なお、従来技術におけるＢＯＧ圧縮機に替わって本発明で用いる整圧器は、圧縮機に較べて設備価格は著しく低く、また、設定圧の制御手段に動力を使用しないためランニングコストもほとんど必要ない。
【図面の簡単な説明】
【図１】本発明の実施例であって、サテライト基地におけるＢＯＧ処理の設備系統図。
【図２】従来技術によるサテライト基地におけるＢＯＧ処理の設備系統図。
【図３】他の従来技術によるＢＯＧ処理系統図。
【符号の説明】
１…ローリー、
２…ＢＯＧライン、
３…ヒーター、
５…ＬＮＧタンク、
６…ＬＮＧ気化器、
８…熱量調整ミキサー、
９…気化ガスライン、
１０…ガスホルダー、
１１ａ，１１ｂ…整圧器、
１２…市中導管、
１５…バイパスライン。
【図１】
2004211747.tif 000003
【図２】
2004211747.tif 000004
【図３】
2004211747.tif 000005